(57)【要約】【課題】発生音が小さく、回転負荷が任意に設定できる負荷装置を提供する。【解決手段】回転機械２に接続される回転体３と、回転体３を収容するハウジング４と、ハウジング４内に満たされた流体５と、流体５と回転体３との摩擦力を変化させることによって回転機械２に加わる回転負荷を変化させる摩擦力可変手段とを備え、回転体３は、同軸で一体回転する複数の回転円板５２を有すると共に、摩擦力可変手段は、回転円板５２間の距離を変化させることにより回転負荷を変化させる距離可変手段を有する。【選択図】図１
2012053068.tif 000002
【特許請求の範囲】
【請求項１】
回転機械に接続される回転体と、該回転体を収容するハウジングと、該ハウジング内に満たされた流体と、該流体と上記回転体との摩擦力を変化させることによって上記回転機械に加わる回転負荷を変化させる摩擦力可変手段とを備え、
上記回転体は、同軸で一体回転する複数の回転円板を有すると共に、上記摩擦力可変手段は、上記回転円板間の距離を変化させることにより上記回転負荷を変化させる距離可変手段を有することを特徴とする負荷装置。
【発明の詳細な説明】
【技術分野】
【０００１】
本発明は、発生音が小さく、回転負荷が任意に設定できる負荷装置に関する。
【背景技術】
【０００２】
モータ、エンジン等の回転機械の性能を試験する際に、所望する回転負荷を加えた状態で回転機械を回転させることが必要になる。このための負荷装置として、発電機又は電動機からなるダイナモが知られている。また、電磁ブレーキやパウダーブレーキも負荷装置とすることができる。
【０００３】
また、回転機械に接続されて回転される被回転部材の性能を試験する際には、その被回転部材を所望した条件で回転させるための試験用回転機械が必要になる。試験用回転機械については、所望の条件が厳密に設定できるよう、試験用回転機械自体の性能試験がより厳密になされなくてはならない。
【０００４】
また、回転機械及び被回転部材が移動体のものである場合、移動体が移動してしまうと、試験がやりにくくなる。そこで、被回転部材を推力の発生しない負荷装置に置き換えて試験を行うことが望まれる。
【先行技術文献】
【非特許文献】
【０００５】
【非特許文献１】Schlichting,"Boundary-Layer Theory",Sixth Edition,XXI.  Turbulent boundary layers at zero pressure gradient p606-611
【非特許文献２】水力機械工学便覧、コロナ社、ｐ１３３、１９６２年出版
【非特許文献３】山内弘、機械工学ポケットブック、オーム社、１９６２年出版
【発明の概要】
【発明が解決しようとする課題】
【０００６】
回転機械や被回転部材について発生音を調べる試験を行うことがある。例えば、冷蔵庫を無響室に設置して運転し、コンプレッサ用のモータからの発生音を測定する。
【０００７】
船舶のプロペラについて発生音を測定する場合、その発生音の測定の障害とならないよう十分に静謐な試験用モータを用意しなくてはならない。その試験用モータの発生音を調べるときには、試験用モータに負荷装置を接続することになる。
【０００８】
ところが、前述したダイナモやパウダーブレーキ等の従来の負荷装置は、それ自体が発生する騒音が大きく、肝心の発生音測定対象である試験用モータより大きな音を発生してしまうので、発生音測定試験がうまくできない。
【０００９】
なお、発生音測定試験であっても、所望する回転負荷を加えた状態で試験を行うためには、負荷装置において回転負荷が任意に設定できることが望まれる。
【００１０】
そこで、本発明の目的は、上記課題を解決し、発生音が小さく、回転負荷が任意に設定できる負荷装置を提供することにある。
【課題を解決するための手段】
【００１１】
上記目的を達成するために本発明は、回転機械に接続される回転体と、該回転体を収容するハウジングと、該ハウジング内に満たされた流体と、該流体と上記回転体との摩擦力を変化させることによって上記回転機械に加わる回転負荷を変化させる摩擦力可変手段とを備え、上記回転体は、同軸で一体回転する複数の回転円板を有すると共に、上記摩擦力可変手段は、上記回転円板間の距離を変化させることにより上記回転負荷を変化させる距離可変手段を有するものである。
【発明の効果】
【００１２】
本発明は次の如き優れた効果を発揮する。
【００１３】
（１）発生音が小さくできる。
【００１４】
（２）回転負荷が任意に設定できる。
【図面の簡単な説明】
【００１５】
【図１】本発明の一実施形態を示す負荷装置の構成図である。
【図２】水中で回転円板を回転させたときに得られる回転数対回転負荷特性図である。
【図３】回転体の回転により生じる流体の速度分布を径方向から見た速度分布図である。
【発明を実施するための形態】
【００１６】
以下、本発明の一実施形態を添付図面に基づいて詳述する。
【００１７】
図１に示されるように、本発明に係る負荷装置５１は、回転機械２に接続される回転体３と、該回転体３を収容するハウジング４と、該ハウジング４内に満たされた流体５と、該流体５と上記回転体３との摩擦力を変化させることによって上記回転機械２に加わる回転負荷を変化させる摩擦力可変手段（図示せず）とを備えたものである。
【００１８】
負荷装置５１は、回転機械２に所望の回転負荷が加わった状態における回転機械２からの発生音測定試験のために用いられるものとする。回転機械２と回転体３との間には、回転負荷であるトルクを測定する動力計６が設けられる。また、図示しないが回転機械２の発生音を測定する発生音測定計が設けられる。
【００１９】
ここで、回転体３について説明しておく。本出願人は、船舶のプロペラの試験に用いる試験用モータについて試験を行おうとしていた。負荷部材としてプロペラを用いると推力が発生してしまい、試験がやりにくいので、推力が発生しない負荷部材を試験用モータに接続した。推力が発生しない負荷部材は、例えば、回転円板で実現できる。
【００２０】
回転円板は、水との摩擦により大きな回転負荷を生じ、その回転負荷の大きさは同径のプロペラにより生じる回転負荷と遜色がない。そして、回転円板は、推力が発生しないので、水中で使用する負荷部材として好適である。
【００２１】
非特許文献１によれば、回転円板が浸漬される媒質の密度をρ、回転円板が回転される角周波数をω、回転円板の半径をｒ、トルク係数をＣＭ、媒質の動粘性係数をν、回転円板に発生するトルクをＱとすると、
【００２２】
【数１】
2012053068.tif 000003
【００２３】
の関係がある。
【００２４】
そこで、半径の異なる複数の回転円板を作製し、水槽内で回転数を変えて回転させてみたところ、発生したトルクは、図２に示されるようになった。すなわち、水中で半径が８８ｍｍ，９８ｍｍ，１０６ｍｍの回転円板を約４００〜３６００ｒｐｍで回転させると、ほぼ０〜０．７ｋｇ・ｍの範囲で回転負荷の大きさを変化させることができる。
【００２５】
しかしながら、これらの回転円板からなる負荷部材をそのまま所望の回転負荷を得るための負荷装置として採用するには問題がある。まず、回転数を変えることは、試験対象である試験用モータの条件を変えてしまうことになるので、不可である。よって、回転負荷を変えるには回転円板の径を変えるしかない。
【００２６】
しかし、回転負荷の大きさを変えるために、その都度、水中にある回転円板を径の違うものと取り替えるのは、大変な労力であり、時間も大きく費やしてしまう。また、回転円板の径を大きくすると、外周付近では周速度が大きいため減圧によって水中溶解空気が気化し、気泡が形成される。気泡は音の原因となるので、回転円板の径はあまり大きくできない。すると、回転負荷があまり大きく設定できないことになる。
【００２７】
そこで、本出願人は、回転円板の径は変えず、流体と回転円板との摩擦力を変化させることに思い至った。摩擦力を変化させれば、回転円板の径を変えなくても、回転負荷の大きさを変えられるので、回転円板を取り替える作業がなくせる。流体の性状などによる摩擦の度合い（単位面積に生じる摩擦の率）に変化を与えずに摩擦力を変化させるには、複数枚の回転円板の間隔を変化させる方法がある。
【００２８】
さらに、従来は、大規模な水槽内に試験用モータと回転円板を設置して試験を行ったが、そのような大規模水槽では流体を入れ替えたり、温度を変えたりするのに不便である。そこで、本出願人は、回転円板を小型のハウジングに収容し、ハウジング内に流体を満たすようにした。
【００２９】
すなわち、図１の負荷装置５１は、回転機械２に接続される回転体３と、該回転体３を収容するハウジング４と、該ハウジング４内に満たされた流体５と、該流体５と上記回転体３との摩擦力を変化させることによって上記回転機械２に加わる回転負荷を変化させる摩擦力可変手段（図示せず）とを備えたものである。
【００３０】
負荷装置５１は、ハウジング４内には空隙なく流体５が満たされると共に、回転体３が複数の回転円板５２からなり、摩擦力可変手段として、回転円板５２間の距離を変化させる距離可変手段を備える。具体的には、回転機械２と各回転円板５２を繋ぐ回転軸５３を多重管で構成し、公知の伸縮機構により多重管５３を伸縮させることで各々の回転円板５２間の距離を変化させるようにする。
【００３１】
図３に示されるように、回転体３を構成する複数の回転円板５２のうち、いちばん端の回転円板５２の端面表面近傍においては流体５が回転円板５２とほぼ同一速度で移動する。一方、ハウジング４の内壁近傍においては流体５は静止しており、回転円板５２の端面表面からハウジング４の内壁までの間には、速度分布６１が形成される。
【００３２】
回転円板５２間では、回転円板５２の端面表面近傍においては流体５が回転円板５２とほぼ同一速度で移動し、回転円板５２から離れるほど流体５の速度は低いが、静止するとは限らない。回転円板５２間の距離が短いと、回転円板５２間における流体５の速度があまり低くはならない。逆に、回転円板５２間の距離が長いと、回転円板５２間における流体５の速度が低くなる。このように、回転円板５２間には、回転円板５２間の距離によって異なる速度分布６２が形成される。
【００３３】
回転体３全体の流体５に接する面積は回転円板５２間の距離によらず一定（ただし、回転円板５２同士が接するときは別）である。また、いちばん端の回転円板５２のハウジング４に臨む面がもたらす摩擦力は一定である。しかし、回転円板５２同士が向き合う面がもたらす摩擦力は回転円板５２間の距離に左右される。回転円板５２間の距離が短いと、回転円板５２間における回転円板５２と流体５の摩擦力は小さい。回転円板５２間の距離が長いと、回転円板５２間における回転円板５２と流体５の摩擦力は大きい。よって、距離可変手段が回転円板５２間の距離を変化させると、摩擦力が変化し、回転負荷が変化する。
【００３４】
以上のように、図１の負荷装置５１は、複数の回転円板５２間の距離を変化させることにより、流体５と回転体３との摩擦力を変化させることができるので、従来のように回転円板を取り替える必要がなく、回転円板の径を増大させる必要もない。これにより、発生音が小さく、回転負荷が任意に設定できる負荷装置５１が実現される。
【符号の説明】
【００３５】
５１  負荷装置
２  回転機械
３  回転体
４  ハウジング
５  流体
【図３】
2012053068.tif 000004
【図１】
2012053068.tif 000005
【図２】
2012053068.tif 000006